(57)【要約】【課題】  取り付けが容易であると共に、十分な強度を有し、且つ、ずれ落ちることがなく、更に、屋根上の融雪水や、雨水をスノードレン用谷樋に円滑に排出することができるスノードレン用谷樋カバーを提供する。【解決手段】  スノードレン用谷樋２の上端開口部３を被蔽するスノードレン用谷樋カバー１であって、スノードレン用谷樋カバー１は、断面が湾曲形状に形成された可撓性の板材から成ると共に、板材全面に及んで複数の流水孔４，４…が開穿されたカバー本体５と、カバー本体５の両側部を夫々係止すると共に、スノードレン用谷樋２及びスノードレン用谷樋２に臨む左右屋根端部６，７に取付自在の左右取付部材８，９とを備え、前記カバー本体５の弾力により、左右取付部材８，９がスノードレン用谷樋２に圧接されて取り付けられるように構成されているスノードレン用谷樋カバーを提供する。【選択図】  図１
2006177047.tif 000002
【特許請求の範囲】
【請求項１】
スノードレン用谷樋の上端開口部を被蔽するスノードレン用谷樋カバーであって、該スノードレン用谷樋カバーは、断面が湾曲形状に形成された可撓性の板材から成ると共に、板材全面に及んで複数の流水孔が開穿されたカバー本体と、該カバー本体の両側部を夫々係止すると共に、該スノードレン用谷樋及び該スノードレン用谷樋に臨む左右屋根端部に取付自在の左右取付部材とを備え、前記カバー本体の弾力により、該左右取付部材がスノードレン用谷樋に圧接されて取り付けられるように構成されていることを特徴とするスノードレン用谷樋カバー。
【請求項２】
上記左右取付部材は、上記カバー本体の両側端を挿入させて挟着する挟着溝を備えていることを特徴とする請求項１記載のスノードレン用谷樋カバー。
【請求項３】
上記挟着溝の内壁面に、接着材を貯留する１又は複数の凹溝が該挟着溝と平行に形成されていることを特徴とする請求項１又は２記載のスノードレン用谷樋カバー。
【請求項４】
上記左右取付部材の上端部と下端部との間に垂直壁が形成され、該垂直壁に屋根端部から流入する融雪水及び雨水をスノードレン用谷樋内に排出するための複数の排出孔が開穿されていることを特徴とする請求項１，２又は３記載のスノードレン用谷樋カバー。
【請求項５】
上記カバー本体と、上記左右取付部材とは合成樹脂で形成されていることを特徴とする請求項１，２，３又は４記載のスノードレン用谷樋カバー。
【請求項６】
上記請求項１，２，３，４又は５記載のスノードレン用谷樋カバーの施工方法であって、該スノードレン用谷樋カバーのカバー本体を上記左右取付部材に係止した状態で、該カバー本体を加圧により更に湾曲させて該左右取付部材の下端部を上記スノードレン用谷樋の上端開口部内に挿入すると共に、該左右取付部材の上端部を上記屋根端部に当接させ、次に、前記カバー本体への加圧を解放して該左右取付部材の下端部を前記スノードレン用谷樋の上端開口部内壁面に圧接させて該スノードレン用谷樋カバーを該スノードレン用谷樋及び屋根端部に取り付けるようにしたことを特徴とするスノードレン用谷樋カバーの施工方法。
【発明の詳細な説明】
【技術分野】
【０００１】
本発明は、スノードレン用谷樋カバー及び該カバーの施工方法に関し、特に、スノーダクト工法により施工されるスノードレン用谷樋の上端開口部を被蔽するスノードレン用谷樋カバーであって、取付けが容易であり、且つ、ずれ落ちることがなく、耐蝕性を備えたスノードレン用谷樋カバー及び該カバーの施工方法に関するものである。
【背景技術】
【０００２】
此種従来のスノードレン用谷樋カバーとして、種々の方式が知られており、例えば、木製のすのこでカバーを形成した木製すのこ方式、アルミ合金で製作したアルミニウム合金製ダクトカバー方式、ＦＲＰで形成したＦＲＰ製ダクトカバー方式、変性ＡＢＳ樹脂で形成した変性ＡＢＳ樹脂性ダクトカバー方式等が知られている。
【０００３】
然しながら、前記木製すのこ方式は、腐食し易い、或いは、ずれ易い等の問題があり、又、腐朽や、すのこ間の隙間から流入する枯葉やごみによって排水口を詰まらせる虞があり、更に、隙間が多いため保温効果がなく、樋の中が凍ってしまう等の問題がある。
【０００４】
又、前記アルミニウム合金製ダクトカバー方式は、断面三角形に形成されているため、雪の重みに対する抵抗が小さく変形しやすいという問題があり、更に、風圧を受けやすく外れやすいという問題がある。
【０００５】
更に、前記ＦＲＰ製ダクトカバー方式は、樋の中に落とし込んで設置する構成であるため、保温される樋内の体積が少なく氷が膨張するという問題があり、又、隙間にごみが入るという問題がある。
【０００６】
更に又、前記変性ＡＢＳ樹脂性ダクトカバー方式の場合は、樋との取り合いの納まりが悪いという問題、一体型になっているため嵌めづらく、バランスが悪いという問題がある。
【０００７】
そして、本願出願人も特許文献１のスノードレン用谷樋におけるカバーを既に出願している。
【０００８】
このスノードレン用谷樋におけるカバーは、スノードレン用谷樋における左右側壁の上端に互いに対向する段状上縁を形成すると共に、この左右側壁間に、伸縮自在に構成された受枠を前記上縁の下方位置に該上縁とは小間隔を有した状態でかつ左右側壁に対して直交するよう所定間隔をもって張設し、一方、前記谷樋の開口部に張設されるカバー体を横長の板状体に構成し、かつ、カバー体に流水孔を多数穿設し、カバー体の左右縁を前記小間隔に挿入して前記谷樋の開口部をカバー体で張設するように構成したものである。
【０００９】
そして、前記カバー体は、長手方向の中央に、上方へ湾曲する湾曲部を形成することも可能であり、その場合に於いては、カバー体自体の強度を高めることができる。
【００１０】
このスノードレン用谷樋におけるカバーは、積雪の重さや移動によってカバーの取付位置がずれることがなく、又、構造が比較的簡単であることから故障が少なく、且つ、安価に量産できる利点がある。
【特許文献１】特開昭５７−５９５３０号公報
【発明の開示】
【発明が解決しようとする課題】
【００１１】
前述したように、木製すのこ方式、アルミニウム合金製ダクトカバー方式、ＦＲＰ製ダクトカバー方式、変性ＡＢＳ樹脂性ダクトカバー方式には夫々問題点がある。
【００１２】
又、特許文献１については、前述した利点があるが、一方で、ワンタッチで施工ができないことから、施工に比較的手間がかかり、又、カバー体が平板である場合はカバー体の強度上の問題があり、カバー体が湾曲形状である場合は、カバー体の強度は増すが、カバー体を支える受枠に負荷がかかるため、受枠の強度上の問題が発生する。更に、カバー体に多数穿設された流水孔のみでは、屋根上の融雪水や、雨水がスノードレン用谷樋に円滑に排出されないという問題があり、更に又、スノードレン用谷樋におけるカバーの構成材料の種類によっては腐食の問題が発生する。
【００１３】
以上の現状に鑑み、本発明は、スノードレン用谷樋の上端開口部を被蔽するスノードレン用谷樋カバーであって、取り付けが容易であると共に、十分な強度を有し、且つ、ずれ落ちることがなく、更に、屋根上の融雪水や、雨水をスノードレン用谷樋に円滑に排出することができる、耐蝕性を備えたスノードレン用谷樋カバー及び該カバーの施工方法を提供することを目的とする。
【課題を解決するための手段】
【００１４】
上記の課題を解決すべく、本発明は以下の構成を提供する。
請求項１に係る発明は、スノードレン用谷樋の上端開口部を被蔽するスノードレン用谷樋カバーであって、該スノードレン用谷樋カバーは、断面が湾曲形状に形成された可撓性の板材から成ると共に、板材全面に及んで複数の流水孔が開穿されたカバー本体と、該カバー本体の両側部を夫々係止すると共に、該スノードレン用谷樋及び該スノードレン用谷樋に臨む左右屋根端部に取付自在の左右取付部材とを備え、前記カバー本体の弾力により、該左右取付部材がスノードレン用谷樋に圧接されて取り付けられるように構成されていることを特徴とするスノードレン用谷樋カバーを提供するものである。
【００１５】
請求項２に係る発明は、上記左右取付部材は、上記カバー本体の両側端を挿入させて挟着する挟着溝を備えていることを特徴とする請求項１記載のスノードレン用谷樋カバーを提供するものである。
【００１６】
請求項３に係る発明は、上記挟着溝の内壁面に、接着材を貯留する１又は複数の凹溝が該挟着溝と平行に形成されていることを特徴とする請求項１又は２記載のスノードレン用谷樋カバーを提供するものである。
【００１７】
請求項４に係る発明は、上記左右取付部材の上端部と下端部との間に垂直壁が形成され、該垂直壁に屋根端部から流入する融雪水及び雨水をスノードレン用谷樋内に排出するための複数の排出孔が開穿されていることを特徴とする請求項１，２又は３記載のスノードレン用谷樋カバーを提供するものである。
【００１８】
請求項５に係る発明は、上記カバー本体と、上記左右取付部材とは合成樹脂で形成されていることを特徴とする請求項１，２，３又は４記載のスノードレン用谷樋カバーを提供するものである。
【００１９】
請求項６に係る発明は、上記請求項１，２，３，４又は５記載のスノードレン用谷樋カバーの施工方法であって、該スノードレン用谷樋カバーのカバー本体を上記左右取付部材に係止した状態で、該カバー本体を加圧により更に湾曲させて該左右取付部材の下端部を上記スノードレン用谷樋の上端開口部内に挿入すると共に、該左右取付部材の上端部を上記屋根端部に当接させ、次に、前記カバー本体への加圧を解放して該左右取付部材の下端部を前記スノードレン用谷樋の上端開口部内壁面に圧接させて該スノードレン用谷樋カバーを該スノードレン用谷樋及び屋根端部に取り付けるようにしたことを特徴とするスノードレン用谷樋カバーの施工方法を提供するものである。
【発明の効果】
【００２０】
本発明の請求項１記載の発明によれば、スノードレン用谷樋の上端開口部を被蔽するスノードレン用谷樋カバーであって、該スノードレン用谷樋カバーは、断面が湾曲形状に形成された可撓性の板材から成ると共に、板材全面に及んで複数の流水孔が開穿されたカバー本体と、該カバー本体の両側部を夫々係止すると共に、該スノードレン用谷樋及び該スノードレン用谷樋に臨む左右屋根端部に取付自在の左右取付部材とを備え、前記カバー本体の弾力により、該左右取付部材がスノードレン用谷樋に圧接されて取り付けられるように構成されているスノードレン用谷樋カバーを提供するので、可撓性のカバー本体を加圧により更に湾曲させることによって、スノードレン用谷樋カバーをスノードレン用谷樋及び左右屋根端部に容易に取り付けることができると共に、カバー本体が湾曲していることにより十分な強度を有し、且つ、左右取付部材をスノードレン用谷樋及び左右屋根端部に取り付けることによりスノードレン用谷樋カバーがずれ落ちることがない。
【００２１】
請求項２記載の発明によれば、上記左右取付部材は、上記カバー本体の両側端を挿入させて挟着する挟着溝を備えているので、請求項１記載の発明の効果に加え、カバー本体を左右取付部材に容易に係止できる。
【００２２】
請求項３記載の発明によれば、上記挟着溝の内壁面に、接着材を貯留する１又は複数の凹溝が該挟着溝と平行に形成されているので、請求項１又は２記載の発明の効果に加え、凹溝に接着材を貯留させることにより、十分な接着力を確保して、カバー本体と左右取付部材とを強固に接着することができる。
【００２３】
請求項４記載の発明によれば、上記左右取付部材の上端部と下端部との間に垂直壁が形成され、該垂直壁に屋根端部から流入する融雪水及び雨水をスノードレン用谷樋内に排出するための複数の排出孔が開穿されているので、請求項１，２又は３記載の発明の効果に加え、屋根端部から流下する融雪水及び雨水を円滑にスノードレン用谷樋内に排出し、雨漏りを防止することができる。
【００２４】
請求項５記載の発明によれば、上記カバー本体と、上記左右取付部材とは合成樹脂で形成されているので、請求項１，２，３又は４記載の発明の効果に加え、
耐蝕性が向上したスノードレン用谷樋カバーを得ることができる。
【００２５】
請求項６記載の発明によれば、上記請求項１，２，３，４又は５記載のスノードレン用谷樋カバーの施工方法であって、該スノードレン用谷樋カバーのカバー本体を上記左右取付部材に係止した状態で、該カバー本体を加圧により更に湾曲させて該左右取付部材の下端部を上記スノードレン用谷樋の上端開口部内に挿入すると共に、該左右取付部材の上端部を上記屋根端部に当接させ、次に、前記カバー本体への加圧を解放して該左右取付部材の下端部を前記スノードレン用谷樋の上端開口部内壁面に圧接させて該スノードレン用谷樋カバーを該スノードレン用谷樋及び屋根端部に取り付けるようにしたスノードレン用谷樋カバーの施工方法を提供するので、前記カバー本体を加圧により更に湾曲させることにより、スノードレン用谷樋カバーの取り付けが容易であると共に、カバー本体に十分な強度を持たせることができ、且つ、左右取付部材の下端部を前記スノードレン用谷樋の上端開口部内に挿入して圧接させ、更に、左右取付部材の上端部を屋根端部に当接させることにより、スノードレン用谷樋カバーが確実に保持され、スノードレン用谷樋カバーのずれ落ちを防止できる。
【発明を実施するための最良の形態】
【００２６】
以下、実施例を示した図面を参照しつつ本発明の実施の形態を説明する。
図１に於いて、１は、本発明によるスノードレン用谷樋カバーを示し、スノードレン用谷樋カバー１は、例えば、長さ９００ｍｍ、幅１８０ｍｍ〜３５０ｍｍに形成されたスノードレン用谷樋２の上端開口部３を被蔽するものであり、断面が湾曲形状に形成された可撓性の板材から成ると共に、板材全面に及んで複数の流水孔４，４…が開穿された合成樹脂から成るカバー本体５と、該カバー本体５の両側部を夫々係止すると共に、スノードレン用谷樋２及びスノードレン用谷樋２に臨む左右屋根端部６，７に取付自在の合成樹脂から成る左右取付部材８，９とを備えている。尚、前記スノードレン用谷樋２は前述したサイズ範囲を超えて形成されても良く、然る時は、そのサイズに合わせてスノードレン用谷樋カバー１も形成する。
【００２７】
又、図２に示す如く、左右取付部材８，９は、左右屋根端部６，７の傾斜方向に延出する上端部８ａ，９ａと、下方に延びる下端部８ｂ，９ｂと、カバー本体５の両側端を挿入させて挟着する挟着溝１０，１１が形成された二股状の挟着部１２，１３とを備えている。
【００２８】
そして、前記カバー本体５の両側端を挟着溝１０，１１に挿入し挟着させてカバー本体５を左右取付部材８，９に係止させた状態で、且つ、スノードレン用谷樋カバー１がスノードレン用谷樋２及び左右屋根端部６，７に取付けられていない時、左右取付部材８，９の下端部８ｂ，９ｂ外側面の離間寸法Ａは前記スノードレン用谷樋２の上端開口部３の開口寸法Ｂよりも大となるように形成されている。
【００２９】
又、図３に示す如く、前記左右取付部材８，９の挟着溝１０，１１の両内壁面には、接着材を貯留する１又は複数の凹溝１４，１４…が挟着溝１０，１１と平行に形成されている。
【００３０】
更に、前記左右取付部材８，９の上端部８ａ，９ａと下端部８ｂ，９ｂとの間に、垂直壁１５，１６が夫々形成され、垂直壁１５，１６は、左右取付部材８，９をスノードレン用谷樋２に取り付けた時に小空間を形成するように上端開口部３内壁面から所定間隔離間するように形成されており、垂直壁１５，１６の下端部には屋根端部６，７から流下する融雪水及び雨水をスノードレン用谷樋２内に排出するための複数の排出孔１７，１７…が開穿されている。
【００３１】
更に又、スノードレン用谷樋２の底部にドレン口１８が開穿されており、ドレン口１８にダクト１９が連結されている。
【００３２】
尚、図１に於いて、２０はドレンキャップであり、２１，２２は野地板であり、２３，２４はトタン、２５は断熱材、２６は雨樋受けである。
【００３３】
而して、以下に前記スノードレン用谷樋カバー１の施工方法を説明する。先ず、前記左右取付部材８，９の挟着溝１０，１１内に接着材を塗布し、カバー本体５の両側端部にも接着材を塗布して、カバー本体５の両側端を取付部材８，９の挟着溝１０，１１内に挿入して挟着させ、接着材を硬化させてカバー本体５を左右取付部材８，９に固着させて係止させる。この時、挟着溝１０，１１の両内壁面に形成された１又は複数の凹溝１４，１４…に接着材が貯留することにより、接着面積が増大し、カバー本体５と左右取付部材８，９とを強固に接着することができる。
【００３４】
そして、所定間隔離間して対峙する屋根端部６，７間にスノードレン用谷樋２が施工され、屋根端部６，７がスノードレン用谷樋２の上端開口部３に臨んでいる状態に於いて、前記スノードレン用谷樋カバー１の左右取付部８，９を矢印Ｃ，Ｃの如く加圧することによりカバー本体５を更に湾曲させ、左右取付部材８，９の下端部８ｂ，９ｂの離間寸法Ａを前記スノードレン用谷樋２の上端開口部３の開口寸法Ｂよりも狭くし、且つ、前記左右屋根端部６，７の離間寸法よりも狭くして、下端部８ｂ，９ｂをスノードレン用谷樋２の上端開口部３内に挿入し、更に、左右取付部材８，９の上端部８ａ，９ａを屋根端部６，７の上面及び端面に当接させ、次に、スノードレン用谷樋カバー１の加圧を解放して左右取付部材８，９の下端部８ｂ，９ｂをカバー本体５の弾力によってスノードレン用谷樋２の上端開口部３内壁面に圧接させて、スノードレン用谷樋カバー１をスノードレン用谷樋２及び屋根端部６，７に取り付ける。同様にして複数個のスノードレン用谷樋カバー１，１…が、施工された全ての複数のスノードレン用谷樋２，２…上に取り付けられる。
【００３５】
尚、カバー本体５を更に湾曲させるための加圧方法は、前述の方法に限定されることなく、カバー本体５を直接加圧する方法等、他の方法を用いてもよい。
【００３６】
そして、前記スノードレン用谷樋カバー１が施工された状態で降雪があると、スノードレン用谷樋２は、スノードレン用谷樋カバー１によって被蔽されているため、スノードレン用谷樋２内に雪が積もることがなく、スノードレン用谷樋カバー１上に積雪する。
【００３７】
この状態で、スノードレン用谷樋２内は下方の建物内から伝達される熱によって温められ、スノードレン用谷樋カバー１、及び、スノードレン用谷樋カバー１上の積雪によって保温されるが、この熱がスノードレン用谷樋カバー１を伝わって、或いは、カバー本体５に開穿された流水孔４，４…から直接にスノードレン用谷樋カバー１上の積雪に伝達されて、積雪を加温して融雪させる。
【００３８】
融雪水、或いは雨水は、前記流水孔４，４…からスノードレン用谷樋２内に流入し、或いは、前記左右屋根端部６，７から流下して、前記垂直壁１５，１６に開穿された排出孔１７，１７…からスノードレン用谷樋２内に矢印Ｄ，Ｄ…、Ｅ，Ｅ…の如く排出され、スノードレン用谷樋２内の排水はスノードレン用谷樋２に形成されたドレン口１８を介してダクト１９に排出される。
【００３９】
斯くして、前記スノードレン用谷樋カバー１は、可撓性のカバー本体５を加圧により更に湾曲させることにより、スノードレン用谷樋カバー１をスノードレン用谷樋２及び左右屋根端部６，７にワンタッチで容易に取り付けることができると共に、加圧を解放することにより、左右取付部材８，９がスノードレン用谷樋２の上端開口部３の内壁面に圧接して保持され、又、左右取付部８，９が左右屋根端部６，７の端面及び上面に当接することにより、左右取付部材８，９が左右屋根端部６，７に保持され、取り付けられることによりスノードレン用谷樋カバー１がずれ落ちることを防止できる。
【００４０】
更に、カバー本体５が湾曲していることにより十分な強度を有し、積雪等の負荷からカバー本体５の変形及び破損を防止できる。
【００４１】
又、前記左右取付部材８，９は、カバー本体５の両側端を挿入させて挟着する挟着溝１０，１１を備えているので、挟着溝１０，１１によってカバー本体５を左右取付部材８，９に容易に係止できる。
【００４２】
更に、前記左右取付部材８，９の挟着溝１０，１１の内壁面に、接着材を貯留する１又は複数の凹溝１４，１４…が挟着溝１０，１１と平行に形成されているので、凹溝１４，１４…に接着材を貯留させることにより、接着面積が増大し、十分な接着力を確保して、カバー本体５と左右取付部材８，９とを強固に接着することができる。
【００４３】
更に又、前記左右取付部材８，９の上端部８ａ，９ａと下端部８ｂ，９ｂとの間に垂直壁１５，１６が形成され、垂直壁１５，１６に屋根端部６，７から流入する融雪水及び雨水をスノードレン用谷樋２側に排出するための複数の排出孔１７，１７…が開穿されているので、屋根端部６，７から流入する融雪水及び雨水を円滑にスノードレン用谷樋２に排出し、雨漏りを防止することができる。
【００４４】
そして、前記カバー本体５と、左右取付部材８，９とは合成樹脂で形成されているので、耐蝕性が向上する。
【００４５】
又、前記スノードレン用谷樋カバー１の施工に於いては、カバー本体５を加圧により更に湾曲させることにより、取り付けがワンタッチで容易に行えると共に、カバー本体５に十分な強度を持たせることができ、且つ、左右取付部材８，９の下端部８ｂ，９ｂを前記スノードレン用谷樋２の上端開口部３内に挿入して上端開口部３内壁面に圧接させ、更に、左右取付部材８，９の上端部８ａ，９ａを屋根端部６に当接させることにより、スノードレン用谷樋カバー１のずれ落ちを防止できる。
【図面の簡単な説明】
【００４６】
【図１】本発明によるスノードレン用谷樋カバーの一部切欠斜視図である。
【図２】本発明によるスノードレン用谷樋カバーの施工を説明する正面断面図である。
【図３】（ａ）図１に示すスノードレン用谷樋カバーの左取付部材の正面断面図である。（ｂ）図１に示すスノードレン用谷樋カバーの右取付部材の正面断面図である。
【符号の説明】
【００４７】
１  スノードレン用谷樋カバー
２  スノードレン用谷樋
３  上端開口部
４  流水孔
５  カバー本体
６  左屋根端部
７  右屋根端部
８  左取付部材
８ａ  上端部
８ｂ  下端部
９  右取付部材
９ａ  上端部
９ｂ  下端部
１０  挟着溝
１１  挟着溝
１４  凹溝
１５，１６  垂直壁
１７  排出孔
【図１】
2006177047.tif 000003
【図２】
2006177047.tif 000004
【図３】
2006177047.tif 000005